(57)【要約】      （修正有）【課題】軸方向の少なくとも一端をエンドキャップで閉塞し、エンドキャップからＬＥＤ発光素子への給電ケーブルを導出するＬＥＤ照明装置において、給電ケーブルの張力止めを容易且つ確実に行うＬＥＤ照明装置を提供する。【解決手段】軸方向に延び、軸方向の少なくとも一端に開口を有しているフレーム２０に、軸方向に延びた状態でＬＥＤ発光素子５０が列設された基板６０を収容する。開口からエンドキャップ３０の挿入部を挿入し、開口を閉塞部で閉塞する。ＬＥＤ発光素子５０への給電ケーブル４０の一端を基板６０に接続し、他端をエンドキャップ３０から導出する。固定ネジ７０により挿入部がフレーム２０に締結されると、給電ケーブル４０が固定ネジ７０の頭部の下方に延在して頭部と直接または間接的に当接し、頭部と挿入部との間で押圧挟持される。【選択図】図２
0003201561.tif 000002
【実用新案登録請求の範囲】
【請求項１】
軸方向に延び、該軸方向の少なくとも一端に開口を有しているフレームと、
該フレームに、前記軸方向に延びた状態で収容された、ＬＥＤ発光素子が列設された基板と、
前記開口から前記フレーム内に挿入される挿入部と前記開口を閉塞する閉塞部とを有するエンドキャップと、
一端が前記基板に接続され他端が前記エンドキャップから導出された、前記ＬＥＤ発光素子に給電する給電ケーブルとを備え、
前記挿入部が固定ネジにより前記フレームに締結され、前記給電ケーブルが、前記締結時において前記固定ネジの頭部の下方に延在し該頭部と直接または間接的に当接して該頭部と前記挿入部との間で押圧挟持されることを特徴とするＬＥＤ照明装置。
【請求項２】
前記挿入部が、頂面と底面と該頂面および底面に繋がる壁面とからなる段差部を備え、
前記固定ネジが前記頂面から挿通され前記挿入部を前記フレームに締結し、前記給電ケーブルが、前記頭部と前記底面との間で押圧挟持されることを特徴とする請求項１に記載のＬＥＤ照明装置。
【請求項３】
前記挿入部が、前記固定ネジの両側に前記段差部を有することを特徴とする請求項２に記載のＬＥＤ照明装置。
【請求項４】
前記固定ネジが前記頭部の一部を前記壁面より突出させ、前記給電ケーブルが前記突出した頭部の一部と前記底面との間で押圧挟持されることを特徴とする請求項２または３に記載のＬＥＤ照明装置。
【請求項５】
前記挿入部が、前記壁面との間で前記給電ケーブルを挟むように前記底面から立設する外壁面をさらに備えることを特徴とする請求項２〜４のいずれか１項に記載のＬＥＤ照明装置。
【請求項６】
前記閉塞部が、前記ＬＥＤ発光素子からの光の少なくとも一部を透過させることを特徴とする請求項１〜５のいずれか１項に記載のＬＥＤ照明装置。
【請求項７】
前記閉塞部が、前記給電ケーブルを導出する導出口を複数有し、該導出口の開口方向がそれぞれ異なることを特徴とする請求項１〜６のいずれか１項に記載のＬＥＤ照明装置。
【請求項８】
前記閉塞部が３つの前記導出口を有し、該３つの導出口の１つの前記開口方向が前記軸方向であり、残り２つの前記開口方向が前記軸方向と直交する方向であることを特徴とする請求項７に記載のＬＥＤ照明装置。
【考案の詳細な説明】
【技術分野】
【０００１】
本考案は、ＬＥＤ発光素子を列設した、軸方向に延びるＬＥＤ照明装置に関する。より詳しくは、軸方向の少なくとも一端が開口しており、その開口をエンドキャップで閉塞し、そのエンドキャップからＬＥＤ発光素子に給電する給電ケーブルが導出されるＬＥＤ照明装置に関する。
【背景技術】
【０００２】
従来から、天井や壁面や床面や陳列棚等の照明装置として、ＬＥＤ発光素子を列設した、軸方向に延びるＬＥＤ照明装置が知られている。そして、このようなＬＥＤ照明装置の中には、軸方向の端が開口しており、その開口をエンドキャップで閉塞し、そのエンドキャップからＬＥＤ発光素子に給電する給電ケーブルが導出しているものがある。
【０００３】
そして、このようなＬＥＤ照明装置を、ライン状に軸方向に並べて配設すると、エンドキャップが暗部となり、光の連続性が損なわれるという問題があった。また、給電ケーブルの敷設の自由度を高めるため、給電ケーブルの導出可能な方向を複数にしたいという要求もあった。
【０００４】
特許文献１には、透光性を有するエンドキャップを備え、エンドキャップからＬＥＤ発光素子からの光を射出させ、且つ給電ケーブルを複数方向に導出できるように、互いに開口方向が異なる複数の導出口を設けたＬＥＤ照明装置が提案されている。
【０００５】
ところで、給電ケーブルの敷設時には、給電ケーブルの取り回し作業により、給電ケーブルに過度の張力が掛かる可能性がある。そして、この過度の張力が給電ケーブルの基板接続部分を破損し、接続不良を発生させる虞もある。しかしながら、特許文献１には、給電ケーブルの張力止めに関する技術は何ら開示されていない。
【０００６】
特許文献２には、図１０に示すように、給電ケーブルを一旦持ち上げて反対方向に折り曲げるために、基板とエンドキャップの間に突起を設け、給電ケーブルを蛇行させ、エンドキャップを蛇行した給電ケーブルに近接させて張力止めを行う技術が提案されている。
【先行技術文献】
【特許文献】
【０００７】
【特許文献１】特開２０１１−２８９４６号公報
【特許文献２】特許４７９８４９９号
【考案の概要】
【考案が解決しようとする課題】
【０００８】
しかしながら、特許文献２のように、基板とエンドキャップとの間に張力止め用の突起を設けることは軸方向に余分な空間を必要とする。また、給電ケーブルを蛇行させる作業は煩わしく、且つ作業中に給電ケーブルに局所的な負荷が掛かり望ましくない。
【０００９】
さらに、特許文献２のエンドキャップは、図１０中の矢印で示す基板と垂直な方向に不図示のネジで固定されるものであるため、エンドキャップと給電ケーブルの間に隙間があると、エンドキャップが給電ケーブルに当接せず、十分な張力止めをできない虞がある。
【００１０】
本考案の目的は、上記事情に鑑み、軸方向の少なくとも一端をエンドキャップで閉塞し、エンドキャップからＬＥＤ発光素子に給電する給電ケーブルが導出するＬＥＤ照明装置において、給電ケーブルの張力止めを容易且つ確実に実現することにある。
【課題を解決するための手段】
【００１１】
上記課題を解決するために、本考案のＬＥＤ照明装置は、軸方向に延び、軸方向の少なくとも一端に開口を有しているフレームと、フレームに、軸方向に延びた状態で収容された、ＬＥＤ発光素子が列設された基板と、開口からフレーム内に挿入される挿入部と開口を閉塞する閉塞部とを有するエンドキャップと、一端が基板に接続され他端がエンドキャップから導出された、ＬＥＤ発光素子に給電する給電ケーブルとを備え、挿入部が固定ネジによりフレームに締結され、給電ケーブルが、締結時において固定ネジの頭部の下方に延在し頭部と直接または間接的に当接して頭部と挿入部との間で押圧挟持されることを特徴とする。
【００１２】
ここで、本考案のＬＥＤ照明装置において、「ＬＥＤ発光素子が列設された基板」とは、複数のＬＥＤ発光素子を軸方向に並べて搭載した基板であり、ＬＥＤ発光素子を軸方向に一列もしくは複数列に並べた基板を意味する。
【００１３】
上記「開口を閉塞する」とは、開口を密閉した状態に限定されるものではなく、たとえば給電ケーブルが導出される導出口が開口している状態をも含む意味である。また、上記「間接的に当接」とは、たとえばスペーサやワッシャ等を介して頭部と当接する状態を意味する。
【００１４】
また、本考案のＬＥＤ照明装置において、挿入部が、頂面と底面と頂面および底面に繋がる壁面とからなる段差部を備え、固定ネジが頂面から挿通され挿入部をフレームに締結し、給電ケーブルが、頭部と底面との間で押圧挟持されてもよい。
【００１５】
また、本考案のＬＥＤ照明装置において、挿入部は固定ネジの両側に段差部を有してもよい。また、本考案のＬＥＤ照明装置において、固定ネジが頭部の一部を壁面より突出させ、給電ケーブルが突出した頭部の一部と底面との間で押圧挟持されてもよい。
【００１６】
また、本考案のＬＥＤ照明装置において、挿入部は壁面との間で給電ケーブルを挟むように底面から立設する外壁面をさらに備えてもよい。また、本考案のＬＥＤ照明装置において、閉塞部はＬＥＤ発光素子からの光の少なくとも一部を透過させてもよい。
【００１７】
ここで、上記「少なくとも一部を透過」とは、エンドキャップに照射された光のうち、一部もしくは全部を透過し、一部を透過させる場合は残りの光を反射もしくは遮光することを意味する。また、上記「透過」とは、拡散した状態で透過させることを含む意味である。
【００１８】
また、本考案のＬＥＤ照明装置において、閉塞部が、給電ケーブルを導出する導出口を複数有し、導出口の開口方向がそれぞれ異なっていてもよい。また、本考案のＬＥＤ照明装置において、閉塞部が３つの導出口を有し、３つの導出口の１つの開口方向が軸方向であり、残り２つの開口方向が軸方向と直交する方向であってもよい。
【考案の効果】
【００１９】
本考案のＬＥＤ照明装置によれば、挿入部が固定ネジによりフレームに締結され、給電ケーブルが、締結時において固定ネジの頭部の下方に延在し頭部と直接または間接的に当接して頭部と挿入部との間で押圧挟持されるため、フレームにエンドキャップを固定する際、特に意識することなく、給電ケーブルを容易且つ確実に張力止めできる。
【００２０】
また、本考案のＬＥＤ照明装置によれば、挿入部が頂面と底面と頂面および底面に繋がる壁面とからなる段差部を備え、固定ネジを頂面から挿通させ、給電ケーブルが頭部と底面との間で押圧挟持される場合、頂面と底面との寸法差に応じて給電ケーブルを押圧する力を制御でき、給電ケーブルをより容易且つ確実に張力止めができる。
【００２１】
また、本考案のＬＥＤ照明装置によれば、挿入部が固定ネジの両側に段差部を有する場合、給電ケーブルに近い方の段差部を用いて押圧挟持できるため、給電ケーブルをより容易に張力止めできる。
【００２２】
また、本考案のＬＥＤ照明装置によれば、挿入部が、壁面との間で給電ケーブルを挟むように底面から立設する外壁面をさらに備えた場合、給電ケーブルが段差部に対して位置決めされるため、給電ケーブルをより容易且つ確実に張力止めできる。
【図面の簡単な説明】
【００２３】
【図１】本考案の一実施形態であるＬＥＤ照明装置の斜視図
【図２】透光性カバーを取り外した状態のＬＥＤ照明装置の部分拡大斜視図
【図３】フレームの断面図
【図４】右斜め上方から見たエンドキャップの斜視図
【図５】左斜め上方から見たエンドキャップの斜視図
【図６】エンドキャップの右側面図
【図７】エンドキャップの平面図
【図８】エンドキャップの背面図
【図９】エンドキャップの張力止めの態様を示す図
【図１０】従来のエンドキャップによる張力止めの態様を示す図
【考案を実施するための形態】
【００２４】
本考案の一実施形態であるＬＥＤ照明装置１００について図面を用いて説明する。図１はＬＥＤ照明装置１００の斜視図である。ＬＥＤ照明装置１００は、図１に示すように、透光性カバー１０、透光性カバー１０の下方で透光性カバー１０を固定する、軸方向に延びるフレーム２０、フレーム２０の軸方向の両端に取り付けられたエンドキャップ３０、エンドキャップ３０から導出された給電ケーブル４０を備えている。なお、図中一点鎖線で示す軸線の方向が軸方向である。
【００２５】
図２は、透光性カバー１０を取り外した状態の、エンドキャップ３０近傍の部分拡大斜視図である。ＬＥＤ照明装置１００は、図２に示すように、複数のＬＥＤ発光素子５０が所定間隔を空けて列設した基板６０を備えている。なお、ＬＥＤ発光素子５０は複数列に並べて搭載してもよい。
【００２６】
図２に示すように、基板６０は軸方向に延びた状態でフレーム２０内に収容され、エンドキャップ３０は、固定ネジ７０によりフレーム２０に固定されている。
【００２７】
最初に給電ケーブル４０について説明する。図２に示すように、給電ケーブル４０は先端部の被覆が剥ぎ取られ、基板６０の左縁部に半田付けされている。なお、給電ケーブル４０は、基板６０の右縁部に半田付けされてもよい。なお、本図において、軸方向に直交する方向において、手前側を右、奥側を左とする。
【００２８】
そして、給電ケーブル４０はエンドキャップ３０から導出している。導出した給電ケーブル４０は、不図示の外部電源に接続されてもよく、他のＬＥＤ照明装置１００の給電ケーブル４０に接続されてもよい。
【００２９】
次に透光性カバー１０について説明する。透光性カバー１０は、プラスチック等の樹脂からなり、ＬＥＤ発光素子５０からの光を全部透過、もしくは一部を透過させるものである。したがって、透光性カバー１０は、透明、半透明もしくは乳白色のような有色透明である。また、透光性カバー１０は、光を拡散させて透過させてもよく、透過させない光を反射または遮光してもよい。
【００３０】
透光性カバー１０は、軸方向に延び、軸方向の両端が開口している。また、透光性カバー１０は、逆Ｕ字状の断面形状を有している。図１に示すように、透光性カバー１０は、エンドキャプ３０により、両端が閉塞されている。なお、透光性カバー１０の断面形状は、たとえば半円形等であってもよく、特に限定されるものではない。
【００３１】
次にフレーム２０について説明する。フレーム２０は、アルミニウムまたはアルミニウム合金等を押出成形したものである。なお、フレーム２０の材質には、耐熱性を有するプラスチックやセラミック等を用いてもよい。
【００３２】
図３はフレーム２０の断面図である。図３に示すように、フレーム２０は、左右の側板２１および中間板２２からなり、略Ｈ字状の断面形状を有している。左右の側板２１の上方には突起２１Ａが形成され、透光性カバー１０は、突起２１Ａと係合することにより、フレーム２０と嵌合して固定されている。
【００３３】
また、基板６０は中間板２２上に載置され、公知の接着剤やネジ等により中間板２２に固定される。また、中間板２２の軸方向の両端近傍には、エンドキャップ３０を固定する固定ネジ７０が挿通するネジ孔２２Ａが形成されている。
【００３４】
ネジ孔２２Ａには、固定ネジ７０と螺号するネジ溝を予め形成してもよい。また、タッピングビスを固定ネジ７０として使用することにより、固定ネジ７０の締結時にネジ溝が形成されてもよい。
【００３５】
また、フレーム２０には、図３に示すように、中間板２２の上方に上凹部２３、下方に下凹部２４を有している。上凹部２３および下凹部２４の軸方向の端は開口している。エンドキャップ３０は、上凹部２３および下凹部２４の開口する端からその一部を挿入させ、残りの部分でフレーム２０の開口を閉塞する。
【００３６】
フレーム２０は、軸方向の長さ寸法が５０ｍｍ〜２０００ｍｍ程度、軸方向と直交する幅寸法が５ｍｍ〜１００ｍｍ程度、高さ寸法が５ｍｍ〜１００ｍｍ程度であってもよい。なお、各寸法は、特に限定されず、配設場所に応じて適宜調整可能である。透光性カバー１０は、図１に示すように、フレーム２０よりたとえば５〜２０ｍｍ程度長い。また、基板６０は、図２に示すように、フレーム２０よりたとえば５〜２０ｍｍ程度短い。
【００３７】
次にＬＥＤ発光素子５０について説明する。ＬＥＤ発光素子５０は、発熱量が少なく長寿命の半導体発光素子を内蔵している。ＬＥＤ発光素子５０は矩形状を有しており、略等間隔に軸方向に基板６０の表面に実装されている。ＬＥＤ発光素子５０は、たとえば５〜１００ｍｍ程度の間隔を空けて実装されてもよい。
【００３８】
再び図２を参照して基板６０について説明する。基板６０は、軸方向に延びる矩形状である。基板６０は、銅、ＣＥＭ３、ポリイミドまたはガラスエポキシ等の材料で構成された、リジット基板または可撓性を有するフレキシブル基板である。
【００３９】
そして、基板６０には、ＬＥＤ発光素子５０に電力を供給する配線パターンが形成されている。また、基板６０には、ＬＥＤ発光素子５０の電力調整用のチップ抵抗等が実装されてもよい。
【００４０】
基板６０は１〜５ｍｍ程度の厚み寸法を有している。基板６０の幅寸法は上凹部２３の寸法に応じて適宜調整可能である。また、基板６０には、型番や製造年月日等がシルク印刷されてもよい。
【００４１】
次にエンドキャップ３０について説明する。図４はエンドキャップ３０を右斜め上方から見た斜視図、図５はエンドキャップ３０を左斜め上方から見た斜視図、図６はエンドキャップ３０の右側面図、図７はエンドキャップ３０の平面図、図８はエンドキャップ３０の背面図をそれぞれ示している。
【００４２】
エンドキャップ３０は、ＬＥＤ発光素子５０からの光の一部もしくは全部を透過させる。したがって、エンドキャップ３０は、透明、半透明、または乳白色のような有色透明である。
【００４３】
また、エンドキャップ３０はＬＥＤ発光素子５０からの光を拡散させて透過させてもよい。これにより、エンドキャップ３０が暗部とならず、輝度の不均一を低減できる。また、エンドキャップ３０は透過させない光を反射または遮光してもよい。エンドキャップは、たとえばポリカーボネート（polycarbonate）等の樹脂を成型したものである。
【００４４】
エンドキャップ３０は、本体３１と、本体３１に軸方向に突設された上凸部３２と、上凸部３２の下方で本体３１に軸方向に突設された下凸部３３とからなる。
【００４５】
本体３１は、図４および図５が示すように、湾曲した上部を有する外本体３１１と、上凸部３２の一部を囲繞する内本体３１２とからなる。外本体３１１の上部は透光性カバー１０と略同じ曲率で湾曲している。また、内本体３１２の上部は突起２１Ａ（図３）と略同じ形状である。
【００４６】
上凸部３２は外本体３１１の内表面３１１Ａに、下凸部３３は内本体３１２の内表面３１２Ａに軸方向に突設されている。上凸部３２のうち、内本体３１２から突出した突出部３２１がフレーム２０の開口から上凹部２３（図３）に挿入される。
【００４７】
突出部３２１には、上凹部２３への挿入を容易にするため、面取り加工が施されている。また、突出部３２１には、固定ネジ７０が挿通される貫通孔３２２が形成されている。したがって、固定ネジ７０はフレーム２０内で締結されるため、ＬＥＤ照明装置１００の美観を損ねず、エンドキャップ３０をフレーム２０に固定できる。貫通孔３２２の径寸法は、たとえば１〜８ｍｍ程度である。
【００４８】
また、上凸部３２には貫通孔３２２の両側に、給電ケーブル４０を収容する（図２）、軸方向に延在する溝３２３が形成されている。この溝３２３により、上凸部３２には、貫通孔３２２が形成された頂面３２４と、溝３２３の底面３２５と、頂面３２４と底面３２５とに繋がる溝３２３の内壁面３２６とにより、段差部３２７が形成されている。また、溝３２３の外壁面３２８は、内壁面３２６との間で給電ケーブル４０を挟持するように（図２）、底面３２５から立設している。
【００４９】
下凸部３３は、中間板２２（図３）の厚みと略同じ寸法の間隔を空けて上凸部３２の下方に位置している。突出部３２１および下凸部３３は、中間板２２（図３）を挟持するように、突出部３２１は上凹部２３（図３）に、下凸部３３は下凹部２４（図３）にそれぞれ挿入される。
【００５０】
下凸部３３は、下凹部２４への挿入を容易にするため、面取り加工が施されている。また、貫通孔３２２と連通する貫通孔３３１が形成されている。貫通孔３３１の径寸法は貫通孔３２２よりも０．１ｍｍ〜２ｍｍ程度小さい。なお、貫通孔３３１の径寸法は貫通孔３２２と同径であってもよい。
【００５１】
図６を参照する。エンドキャップ３０においては、突出部３２１および下凸部３３がフレーム２０内に挿入される。そして、突出部３２１および下凸部３３が実用新案登録請求の範囲における挿入部に相当し、本体３１および上凸部３２のうち内本体３１２に囲繞された囲繞部３２９が実用新案登録請求の範囲における閉塞部に相当するものである。
【００５２】
図７に示すように、底面３２５には、内表面３１１Ａとの境界近傍に、溝３２３に延在している給電ケーブル４０を導入する導入口３２５Ａが形成されている。
【００５３】
また、図８が示すように、外本体３１１の外表面３１１Ｂには、軸方向に導出口３４が開口し、図４に示すように、本体３１の右側面３５には軸方向と直交する方向に導出口３６が開口し、図５に示すように、本体３１の左側面３７には軸方向と直交する方向に導出口３８が開口している。
【００５４】
導入口３２５Ａと、導出口３４、導出口３６および導出口３８とは、囲繞部３２９および本体３１内に形成された不図示の通路を通じて、互いに連通している。溝３２３に延在する給電ケーブル４０は、導入口３２５Ａからエンドキャップ３０内に導入され、導出口３４、導出口３６および導出口３８のいずれかより導出される。
【００５５】
導出口３４から導出された給電ケーブル４０は軸方向に導出され、導出口３６または導出口３８から導出された給電ケーブル４０は軸方向と直交する方向に導出される。
【００５６】
図９は、ＬＥＤ照明装置１００による給電ケーブル４０の張力止めの態様を示す図である。フレーム２０は軸方向の一端が開口している（ＳＴ１）。そして、突出部３２１および下凸部３３をフレーム２０内に挿入すると、囲繞部３２９および本体３１によりフレーム２０の開口が閉塞され、貫通孔３２２、貫通孔３３１およびネジ孔２２Ａ（図３）が互いに連通する（ＳＴ２）。
【００５７】
給電ケーブル４０が接続された基板６０が軸方向に延びた状態で収容される。ここで、給電ケーブル４０の一部は頂面３２４より上方に突出している。給電ケーブル４０は、内壁面３２６と外壁面３２８と挟持された状態で溝３２５内を延在し、導入口３２５Ａから導入され導出口３６から軸方向と直交する方向に導出される（ＳＴ３）。なお、給電ケーブル４０は、導出口３４または導出口３８から導出してもよい。
【００５８】
次に貫通孔３２２より固定ネジ７０を挿入すると、固定ネジ７０の頭部７１は内壁面３２６から突出する。また、給電ケーブル４０は、頭部７１の下方に延在しており、固定ネジ７０を締結すると、頭部７１が給電ケーブル４０に当接し、頭部７１と底面３２５との間で押圧挟持され、給電ケーブル４０が張力止めされる（ＳＴ４）。最後に透光性カバー１０をフレーム２０に嵌合させる（ＳＴ５）。
【００５９】
本実施形態の変形例について説明する。フレーム２０は、必ずしも軸方向の両端が開口している必要はなく、一方の端のみが開口していればよい。そして、エンドキャップ３０は、少なくとも給電ケーブル４０を導出する側の開口端に取り付ければよい。
【００６０】
また、溝３２５は、必ずしも貫通孔３２２の両側に形成される必要はなく、片側のみでもよい。上凸部３２は、必ずしも溝３２５を有する必要はない。たとえば外壁面３２８を設けず、頂面３２４と、底面３２５と、内壁面３２６とからなる少なくとも１つの段差部３２７であってもよい。そして、給電ケーブルを内壁面３２６に近接させた状態で、頭部７１と底面３２５との間で押圧挟持すればよい。
【００６１】
また、固定ネジ７０は、必ずしも頭部７１を内壁面３２６から突出させて給電ケーブル４０に当接させる必要はない。たとえば頭部７１と頂面３２４との間にワッシャやスペーサ等を設け、ワッシャやスペーサを内壁面３２６から突出させ、ワッシャやスペーサと底面３２５との間で給電ケーブルを押圧挟持してもよい。
【００６２】
また、必ずしも給電ケーブル４０の一部は頂面３２４より突出している必要はなく、ワッシャやスペーサの縁部に下方に延びる突起を設け、頂面３２４より下方にある給電ケーブル４０をこの突起と底部３２５との間で押圧挟持してもよい。
【００６３】
以上に説明した通り、本実施形態によれば、固定ネジ７０を頂面３２４から挿通し、固定ネジ７０を締めてエンドキャップ３０をフレーム２０に固定すると、固定ネジ７０の下方に延在している給電ケーブル４０が頭部７１に当接して押圧挟持されるため、エンドキャップ３０の固定中に、特に意識することなく、給電ケーブル４０の張力止めを容易且つ確実にできる。
【００６４】
また、本実施形態によれば、給電ケーブル４０を頭部７１と底面３２５との間で押圧挟持されるため、頂面３２４と底面３２５との高低差に応じて給電ケーブル４０を押圧する力を制御でき、給電ケーブル４０への荷重過多や荷重不足を回避でき、張力止めを容易且つ確実にできる。
【００６５】
また、本実施形態によれば、固定ネジ７０の両側に段差部３２７が形成されるため、給電ケーブル４０が基板６０の左右のいずれの縁に接続されている場合であっても、給電ケーブル４０を溝３２３に延在しやすくなり、給電ケーブル４０の張力止めを容易且つ確実にできる。
【００６６】
また、本実施形態によれば、給電ケーブル４０が内壁面３２６と外壁面３２８との間で挟持されるため、給電ケーブル４０を頭部７１の下方に正確に位置決めされ、給電ケーブル４０の張力止めを容易且つ確実にできる。
【符号の説明】
【００６７】
１０              透光性カバー
２０              フレーム
３０              エンドキャップ
３１              本体（閉塞部）
３３              下凸部（挿入部）
３４，３６，３８  導出口
４０              給電ケーブル
５０              ＬＥＤ発光素子
６０              基板
７０              固定ネジ
１００            ＬＥＤ照明装置
３２１            突出部（挿入部）
３２４            頂面
３２５            底面
３２６            内壁面
３２７            段差部
３２８            外壁面
３２９            囲繞部（閉塞部）
【図１】
0003201561.tif 000003
【図２】
0003201561.tif 000004
【図３】
0003201561.tif 000005
【図４】
0003201561.tif 000006
【図５】
0003201561.tif 000007
【図６】
0003201561.tif 000008
【図７】
0003201561.tif 000009
【図８】
0003201561.tif 000010
【図９】
0003201561.tif 000011
【図１０】
0003201561.tif 000012